(57)【要約】      （修正有）【課題】十分な保温効果を確保することができるレッグウォーマーを提供する。【解決手段】上下に開口１ａ、１ｂが形成され、使用者の脚部に装着されるレッグウォーマー１であって、上下方向及び幅方向に広がるシート状部材により形成され、シート状部材が幅方向に湾曲されることにより開口が形成される本体部１０と、本体部の幅方向における一端又は他端の少なくとも一方に、上方から下方に亘り設けられた着脱部（面ファスナーやフック）とを備える。【選択図】図１
0003231529.tif 000002
【実用新案登録請求の範囲】
【請求項１】
上下に開口が形成され、使用者の脚部に装着されるレッグウォーマーであって、
上下方向及び幅方向に広がるシート状部材により形成されるとともに、上記シート状部材を上記幅方向に湾曲されることにより上記開口が形成される本体部と、
上記本体部の幅方向における一端又は他端の少なくとも一方において、上方から下方に亘り設けられた着脱部と、
を備えること
を特徴とするレッグウォーマー。
【請求項２】
上記本体部は、下端側における上記開口の開口径が上端側における上記開口の開口径よりも大きいこと
を特徴とする請求項１記載のレッグウォーマー。
【請求項３】
上記着脱部は、上記本体部の一方側の面における一端側に設けられた第１着脱部と、上記本体部の他方側の面における他端側に設けられた第２着脱部とを有すること
を特徴とする請求項１又は２記載のレッグウォーマー。
【考案の詳細な説明】
【技術分野】
【０００１】
本考案は、使用者の脚部を覆うレッグウォーマーに関する。
【背景技術】
【０００２】
従来より、気温が下がる冬場を中心に、使用者の脚部を覆うレッグウォーマーが開発・販売されている。ポリプロピレンや羽毛等の、断熱性を有する素材により形成されているレッグウォーマーを足首から膝下にかけて装着することにより、下肢部の保温性を高め、冷えを防止することが行われている。レッグウォーマーは、ある程度の長さを有するため、装着を容易にするために、様々な工夫がなされている。
【０００３】
例えば、特許文献１には、円筒状の保温部材に収納された弾性部材の弾性力によって、円筒形状に戻るように形成されているレッグウォーマーが開示されている。レッグウォーマーを装着する場合には、保温部材の端部を摘んで広げ、下肢に巻回させた状態で手を離すと、弾性部材の弾性力によって、円筒形状に戻るため、レッグウォーマーを下肢に固定することができる。
【０００４】
また、特許文献２には、筒状に形成された本体部の側辺に沿って取り付けられた左右の対の面ファスナー同士を接着し、筒状に係止するレッグウォーマーが開示されている。レッグウォーマーを脚部から外す場合は、面ファスナーを剥がすだけで良く、レッグウォーマーの脚部への脱着をきわめて容易に行うことができる。
【先行技術文献】
【特許文献】
【０００５】
【特許文献１】特開２００３−２６８６０８号公報
【特許文献２】実用新案登録第３１１８５５５号公報
【考案の概要】
【考案が解決しようとする課題】
【０００６】
ところで、特許文献１、２に開示されたレッグウォーマーにあっては、脚部への装着・取り外しの利便性が重視されるものの、保温効果は十分ではなかった。即ち、特許文献１に記載のレッグウォーマーは、弾性部材の弾性力を頼りにしており、筒状の保温部材に隙間が生じる虞があり、下肢を十分に保温できない可能性がある。また、特許文献２に記載のレッグウォーマーは、面ファスナーが離散的に取り付けられており、本体部に隙間が生じる虞があり、下肢を十分に保温できない可能性がある。
【０００７】
そこで本考案は、上述した問題点に鑑みて案出されたものであり、その目的とするところは、十分な保温効果を確保することができるレッグウォーマーを提供することにある。
【課題を解決するための手段】
【０００８】
本考案者らは、上述した問題点を解決するために、上下方向及び幅方向に広がるシート状部材により形成されるとともに、シート状部材を幅方向に湾曲されることにより開口が形成される本体部と、本体部の幅方向における一端又は他端の少なくとも一方において、上方から下方に亘り設けられた着脱部とを備えるレッグウォーマーを考案した。
【０００９】
第１考案に係るレッグウォーマーは、上下に開口が形成され、使用者の脚部に装着されるレッグウォーマーであって、上下方向及び幅方向に広がるシート状部材により形成されるとともに、上記シート状部材を上記幅方向に湾曲されることにより上記開口が形成される本体部と、上記本体部の幅方向における一端又は他端の少なくとも一方において、上方から下方に亘り設けられた着脱部と、を備えることを特徴とする。
【００１０】
第２考案に係るレッグウォーマーは、第１考案において、上記本体部は、下端側における上記開口の開口径が上端側における上記開口の開口径よりも大きいことを特徴とする。
【００１１】
第３考案に係るレッグウォーマーは、第１考案又は第２考案において、上記着脱部は、上記本体部の一方側の面における一端側に設けられた第１着脱部と、上記本体部の他方側の面における他端側に設けられた第２着脱部とを有することを特徴とする。
【考案の効果】
【００１２】
上述した構成からなる本考案によれば、レッグウォーマーは、上下方向及び幅方向に広がるシート状部材により形成されるとともに、このシート状部材を幅方向に湾曲されることにより開口が形成される本体部と、本体部の幅方向における一端又は他端の少なくとも一方において、上方から下方に亘り設けられた着脱部とを備える。これにより、レッグウォーマーの本体部に隙間が生じ難くなり、十分な保温効果を確保することができる。
【図面の簡単な説明】
【００１３】
【図１】図１は、実施の形態に係るレッグウォーマーの斜視図である。
【図２】図２は、実施の形態に係るレッグウォーマーの模式展開図である。
【図３】図３（ａ）は、実施の形態に係るレッグウォーマーの模式正面図であり、図３（ｂ）は、その模式平面図であり、図３（ｃ）はその模式側面図である。
【図４】図４は、レッグウォーマーの使用状態を示す図である。
【考案を実施するための形態】
【００１４】
以下、本考案を適用したレッグウォーマーを実施するための形態について、図面を参照しながら詳細に説明する。
【００１５】
図１は、レッグウォーマー１の一例を示す斜視図である。レッグウォーマー１は、例えば、使用者の下肢（足首から膝）を覆う際に用いられる、筒状の保護部材である。レッグウォーマー１は、上下に開口が形成され、上下方向に伸びるとともに裾部分が広がる形状を有している。
【００１６】
図１に示すように、レッグウォーマー１は、本体部１０と、上端部２１と、下端部２２とを有する。上端部２１は開口１ａを形成し、下端部２２は開口１ｂを形成する。本体部１０は、上端部２１と比較して、下端部２２側が外側に広がるように形成されている。即ち、下端部２２の周方向における長さが上端部２１の周方向における長さよりも長く、そのため下端部２２側における開口１ｂの開口径が上端部２１側における開口１ａの開口径よりも大きくなるように形成されている。下端部２２には、径方向における外側に突出する突出部２２ａが形成されている。
【００１７】
図２は、レッグウォーマー１の模式展開図である。図２に示すように、本体部１０、上端部２１と、下端部２２は、幅方向に広がるように延びている。本体部１０は、上下方向及び幅方向に広がる面状のシート状部材により形成されている。本体部１０の幅方向における寸法は、使用者の脚部を周方向に覆う長さと同程度の長さである。本体部１０の上下方向における寸法は、使用者の下肢を覆う程度の長さである。本体部１０の寸法は、使用者に応じて適宜変更すればよい。下端部２２の寸法は上端部２１の寸法よりも長くなるように形成されている。
【００１８】
本体部１０は、例えば断熱性及び可撓性を有するシート状の部材であり、複数の生地片から構成されている。具体的には、本体部１０は、第１生地片１１ａと、第２生地片１１ｂと、第３生地片１１ｃから構成され、第１生地片１１ａ、第２生地片１１ｂ、第３生地片１１ｃが幅方向においてこの順番で配置されている。以下の説明では、第１生地片１１ａ、第２生地片１１ｂ、第３生地片１１ｃを特に区別しない場合、単に生地片１１と称する。本体部１０を構成する生地片１１の個数は任意であり、単数（１個）でもよく、４個以上であってもよい。
【００１９】
第１生地片１１ａと第２生地片１１ｂとを接合することにより第１接合部３１が形成され、第２生地片１１ｂと第３生地片１１ｃとを接合することにより第２接合部３２が形成されている。第１生地片１１ａ、第２生地片１１ｂ及び第３生地片１１ｃは、上方において接合されることにより上端部２１が形成され、下方において接合されることにより下端部２２が形成されている。なお、生地片１１同士の接合の方法は、例えば縫合によるものであるが、これに限定されるものではない。
【００２０】
生地片１１の形状又は大きさは、全て同じであってもよく、異なっていてもよい。複数の生地片１１のうち、何れか２つのみの生地片１１の形状又は大きさが同じであってもよい。生地片１１の素材は、保温性又は断熱性を有するのであればいかなる素材であってもよいが、例えばポリビニルアセタール、塩化ビニル樹脂（ＰＶＣ）、アクリル樹脂（ＡＣＲ）、ポリアミド（ＰＡ）、ポリエチレン（ＰＥ）、ポリエチレンテレフタレート（ＰＥＴ）、ポリプロピレン（ＰＰ）、ポリスチレン（ＰＳ）のいずれかであればよい。また、各生地片１１の表面は、起毛加工、カレンダー加工、エンボス加工、蓄熱加工、吸水加工、撥水加工、防水加工、消臭加工、抗菌加工、防炎加工などの加工が適宜施されてもよい。
【００２１】
本体部１０は、一方側の面である第１面１０ａと、他方側の面である第２面１０ｂとを有する。レッグウォーマー１が図１に示すように筒状に形成された場合、第１面１０ａあるいは第２面１０ｂのいずれの面が内周面あるいは外周面とされてもよい。本体部１０は、使用者の脚部、特に下肢を保護する。
【００２２】
第１面１０ａの幅方向における一端側には第１着脱部４１ａが設けられ、第２面１０ｂの幅方向における他端側には第１着脱部４１ａとほぼ同じ形状を有する第２着脱部４１ｂが設けられる。即ち、本体部１０の表側と裏側において、第１着脱部４１ａと、この第１着脱部４１ａに貼り合わされる第２着脱部４１ｂが設けられる。第１着脱部４１ａ及び第２着脱部４１ｂは、例えばいずれも面ファスナーであるが、これに限定されず、第１面１０ａと第２面１０ｂとを着脱自在とすることができるのであればフック等、面ファスナー以外の材質で形成されてもよい。以下の説明では、第１着脱部４１ａと第２着脱部４１ｂを特に区別しない場合、単に着脱部４１と称する。
【００２３】
着脱部４１は、第１面１０ａあるいは第２面１０ｂのいずれか一方の面にのみ設けられてもよい。即ち、着脱部４１は、レッグウォーマー１において１箇所にのみ設けられ、着脱部４１が直接本体部１０（生地片１１）に貼り合わされてもよい。この場合、生地片１１は、着脱部４１と貼り合わせることができる素材により構成されていればよい。また、第１着脱部４１ａ及び第２着脱部４１ｂは、いずれも第１面１０ａあるいは第２面１０ｂのうち同じ面側に設けられ、第１面１０ａ同士あるいは第２面１０ｂ同士が貼り合わされてもよい。
【００２４】
第１着脱部４１ａ及び第２着脱部４１ｂは、上下方向において上端部２１から下端部２２に亘り連続的に設けられている。このため、本体部１０の一端側と他端側を隙間なく強固に固定することができ、レッグウォーマー１の保温効果を高めることができる。また、第１着脱部４１ａ及び第２着脱部４１ｂは、幅方向において所定の長さを有するように面状に形成されているため、幅方向において第１着脱部４１ａと第２着脱部４１ｂが完全に一致する状態、あるいは周方向において一部がずれた状態のいずれかの状態で貼り合わせることができる。このため、本体部１０が周方向において重なる部分の寸法を変更することができ、例えば使用者が素足の状態でレッグウォーマー１を装着する場合には、周方向に締め付けるとともに、使用者が分厚い被覆を着用した状態でレッグウォーマー１を装着する場合には、周方向に緩めることができる。また、使用者の身体的特徴も様々であるため、太った使用者あるいは痩せた使用者のいずれがレッグウォーマー１を使用する場合であっても、簡単にレッグウォーマー１の周方向の寸法を変更することができる。さらに、第１着脱部４１ａは第１面１０ａに設けられ、第２着脱部４１ｂは第２面１０ｂに設けられる。このため、第１面１０ａあるいは第２面１０ｂのいずれも外周面とすることができ、レッグウォーマー１を表裏いずれの面でも使用することができる。
【００２５】
図３（ａ）は、レッグウォーマー１の模式正面図であり、図３（ｂ）は、その模式平面図であり、図３（ｃ）はその模式側面図である。これらは、いずれも第１着脱部４１ａと第２着脱部４１ｂとを貼り合わせ、本体部１０を幅方向に湾曲することにより筒状に形成された状態のレッグウォーマー１を示す図である。
【００２６】
図３（ａ）に示すように、レッグウォーマー１の正面視における中央部分には、上端部２１と下端部２２との間に上下方向に沿って第１接合部３１が形成され、第１接合部３１の下方側には突出部２２ａが形成されている。図３（ｂ）には、第１面１０ａが内周面とされ、第２面１０ｂが外周面とされた状態のレッグウォーマー１を示す。図に示すように、本体部１０が湾曲された状態では、重なり部分１２が形成され、この重なり部分１２で第１着脱部４１ａと第２着脱部４１ｂが貼り合わされている。第１着脱部４１ａと第２着脱部４１ｂが貼り合わされた状態では、上端部２１には開口１ａが形成され、下端部２２には開口１ｂが形成される。開口１ａ、開口１ｂは、いずれも平面視円形状（楕円形状）を有し、開口１ｂの開口径が開口１ａの開口径よりも大きい。図３（ｃ）に示すように、第１着脱部４１ａ及び第２着脱部４１ｂを含んで構成される重なり部分１２は、本体部１０の内側に収容され、外部からは視認できない状態である。レッグウォーマー１は、下端部２２側の幅方向における寸法が上端部２１側の幅方向における寸法よりも大きく構成されているため、下方側において上方側よりも寸法の大きいものを覆うことができる。
【００２７】
図４は、レッグウォーマー１の使用状態を示す図である。図４に示すように、レッグウォーマー１は使用者の左右の下肢をズボンの上から覆うとともに、使用者が装着している靴の一部を覆う。レッグウォーマー１は、使用者の下肢に密着した状態で装着されている。このため、屋外で使用する場合には、レッグウォーマー１が覆うズボン及び靴の間に外気が入りにくくなり、寒い日であっても保温効果を維持することができる。また、突出部２２ａが形成されることにより、装着する際にどこが中央部分であるか目印にすることができる。なお、屋内において靴を装着していない状態でレッグウォーマー１を使用することも可能である。
【００２８】
上述した構成からなる本考案によれば、レッグウォーマー１は、上下方向及び幅方向に広がるシート状部材により形成されるとともに、シート状部材を幅方向に湾曲されることにより開口１ａ、１ｂが形成される本体部１０と、本体部１０の幅方向における一端又は他端の少なくとも一方において、上方から下方に亘り設けられた着脱部４１ａ、４１ｂを備える。着脱部４１ａ、４１ｂ同士が貼り合わされた状態では、レッグウォーマー１は周方向において隙間が生じ難くすることができるため、十分な保温効果を確保することができる。
【００２９】
以上、本考案の実施形態に係るレッグウォーマー１について詳細に説明したが、前述した又は図示した実施形態は、いずれも本考案を実施するにあたって具体化した一実施形態を示したものに過ぎない。よって、前述の実施形態により本考案の技術的範囲が限定的に解釈されてはならないものである。
【符号の説明】
【００３０】
１          レッグウォーマー
１ａ        開口
１ｂ        開口
１０        本体部
２１        上端部
２２        下端部
３１        第１接合部
３２        第２接合部
４１ａ      第１着脱部
４１ｂ      第２着脱部
【図１】
0003231529.tif 000003
【図２】
0003231529.tif 000004
【図３】
0003231529.tif 000005
【図４】
0003231529.tif 000006